(57)【特許請求の範囲】
【請求項１】
給水源からの水を供給する給水弁と、
前記給水弁から分岐された一方の管路に接続されて前記水を流水する第１の弁と、
前記給水弁及び第１の弁よりも低い位置に取り付けられ、前記給水弁から分岐された他方の管路に接続されて前記水を流水する第２の弁と、
前記給水弁、第１及び第２の弁を開閉制御する制御手段とを備え、
前記制御手段は、
前記第２の弁が閉じられ、かつ、前記給水源からの水が前記給水弁及び第１の弁を通じて流水されている状態において、運転停止制御時、前記水の供給を停止する入力により、前記第２の弁を開いた後に、前記第１の弁を閉じ、所定の時間経過後に、前記給水弁を閉じ、その後、前記第１の弁を開き、所定時間経過後に、前記第１の弁を閉じると共に前記第２の弁を閉じる制御を実行することを特徴とする管路切り換えユニット。
【請求項２】
給湯源と、
前記給湯源より供給される温水の管路を切換える管路切り換えユニットとを備え、
前記管路切り換えユニットは、
前記給湯源からの温水を供給する給湯弁と、
前記給湯弁から分岐された一方の管路に接続されて前記温水を流水する第１の弁と、
当該ユニット内で前記湯湯弁及び第１の弁よりも低い位置に取り付けられ、前記給湯弁から分岐された他方の管路に接続されて前記温水を流水する第２の弁と、
前記給湯弁、第１及び第２の弁を開閉制御する制御手段とを有し、
前記制御手段は、
前記第２の弁が閉じられ、かつ、前記給湯源からの温水が前記給湯弁及び第１の弁を通じて流水されている状態において、運転停止制御時、前記温水の供給を停止する入力により、前記第２の弁を開いた後に、前記第１の弁を閉じ、所定の時間経過後に、前記給湯弁を閉じ、その後、前記第１の弁を開き、所定時間経過後に、前記第１の弁を閉じると共に前記第２の弁を閉じる制御を実行することを特徴とする給湯システム。
【発明の詳細な説明】
【技術分野】
【０００１】
この発明は、給湯源より供給される温水又は水を噴出する浴室ユニットに適用して好適な管路切換えユニット及び給湯システムに関する。詳しくは、給湯弁、ノズル弁及び排水弁を開閉制御する制御手段を備え、ミストサウナ運転をしている状態において、給湯源からの温水供給を停止する入力により、排水弁を開くと共に、ノズル弁を閉じ、所定の時間経過後に、給湯弁を閉じ、その後、ノズル弁を開き、所定時間経過後に、ノズル弁を閉じると共に排水弁を閉じる制御を実行して、給湯弁から分岐された排水管路を一時的に温水を満たした状態で、その管路内の温水を排水弁を通じて流水できようにすると共に、排水した分の空気をノズル弁から引き込むようにして、ノズル弁からの温水ダレを防止できるようにし、かつ、管路内の残水を防止できるようにしたものである。
【背景技術】
【０００２】
従来より、温水をミストとして浴室内へ噴出したり、浴室内の暖房を行うミストサウナ装置等と称される装置が提案されている（例えば、特許文献１参照）。
【０００３】
ミストサウナ装置は、単数もしくは複数のミストノズルを浴室の壁面等に備え、給湯器から供給された温水をミストにして浴室内に噴出するものである。
【０００４】
【特許文献１】特公平６−５９３０１号公報
【発明の開示】
【発明が解決しようとする課題】
【０００５】
しかし、従来例に係るミストサウナ装置によれば、次のような問題がある。
【０００６】
ｉ．特許文献１に見られるようなミストサウナ装置によれば、ミスト使用後に、配管内に残水が生じる場合が多い。特に、ミストサウナ装置が排水構造を具備しない場合は、ミスト運転停止後の配管内に残水が貯留される。従って、長期に渡って、ミストサウナ装置を使用しない場合等において、配管内に貯留された残水が腐敗して、非常に不衛生となるおそれがある。
【０００７】
ii．また、排水構造を具備したミストサウナ装置においても、給湯弁からミストノズルに至る配管や、給湯弁から排水弁に至る配管の施工方法、バルブ制御のタイミングによって、配管内に残水を生じたり、ミストノズルの先端から液ダレするおそれがある。
【０００８】
そこで、本発明は、上述の課題に鑑み創作されたものであり、排水管路を一時的に温水を満たした状態で、その管路内の温水を通じて流水できるようにすると共に、ノズル弁からの温水ダレを防止し、かつ、管路内の残水を防止できるようにした管路切換えユニット及び給湯システムを提供することにある。
【課題を解決するための手段】
【０００９】
この発明に係る管路切り換えユニットは、給水源からの水を供給する給水弁と、この給水弁から分岐された一方の管路に接続されて水を流水する第１の弁と、給水弁及び第１の弁よりも低い位置に取り付けられ、給水弁から分岐された他方の管路に接続されて水を流水する第２の弁と、給水弁、第１及び第２の弁を開閉制御する制御手段とを備え、制御手段は、第２の弁が閉じられ、かつ、給水源からの水が給水弁及び第１の弁を通じて流水されている状態において、運転停止制御時、水の供給を停止する入力により、第２の弁を開いた後に、第１の弁を閉じ、所定の時間経過後に、給水弁を閉じ、その後、第１の弁を開き、所定時間経過後に、第１の弁を閉じると共に第２の弁を閉じる制御を実行することを特徴とするものである。
【００１０】
本発明に係る管路切り換えユニットによれば、水の供給を停止する入力が有ったとき、給水弁から分岐された他方の管路を一時的に水を満たした状態で、その管路内の水を第２の弁を通じて流水することができ、しかも、排水した分の空気を第１の弁から引き込むので、第１の弁からの水ダレがなくなり、管路内の残水を防止できる。
【００１１】
本発明に係る給湯システムは、給湯源と、この給湯源より供給される温水の管路を切換える管路切り換えユニットとを備え、管路切り換えユニットは、給湯源からの温水を供給する給湯弁と、この給湯弁から分岐された一方の管路に接続されて温水を流水する第１の弁と、当該ユニット内で給湯弁及び第１の弁よりも低い位置に取り付けられ、給湯弁から分岐された他方の管路に接続されて温水を流水する第２の弁と、給湯弁、第１及び第２の弁を開閉制御する制御手段とを有し、制御手段は、第２の弁が閉じられ、かつ、給湯源からの温水が給湯弁及び第１の弁を通じて流水されている状態において、運転停止制御時、温水の供給を停止する入力により、第２の弁を開いた後に、第１の弁を閉じ、所定の時間経過後に、給湯弁を閉じ、その後、第１の弁を開き、所定時間経過後に、第１の弁を閉じると共に第２の弁を閉じる制御を実行することを特徴とするものである。
【００１２】
本発明に係るに係る給湯システムによれば、本発明に係る管路切り換えユニットを備えられるので、温水の供給を停止する入力が有ったとき、給湯弁から分岐された他方の管路を一時的に温水を満たした状態で、その管路内の温水を第２の弁を通じて流水することができ、しかも、排水した分の空気を第１の弁から引き込むので、第１の弁からの水ダレがなくなり、管路内の残水を防止できる。
【発明の効果】
【００１３】
本発明に係る管路切り換えユニットによれば、給水弁、第１及び第２の弁を開閉制御する制御手段を備え、制御手段は、給水弁及び第１の弁よりも低い位置に取り付けられた第２の弁が閉じられ、かつ、給水源からの水が当該給水弁及び第１の弁を通じて流水されている状態において、運転停止制御時、水の供給を停止する入力により、第２の弁を開いた後に、第１の弁を閉じ、所定の時間経過後に、給水弁を閉じ、その後、第１の弁を開き、所定時間経過後に、第１の弁を閉じると共に第２の弁を閉じる制御を実行するものである。
【００１４】
この構成によって、給水弁から分岐された他方の管路を一時的に水を満たした状態で、その管路内の水を第２の弁を通じて流水することができ、しかも、排水した分の空気を第１の弁から引き込むので、第１の弁からの水ダレがなくなり、管路内の残水を防止できる。
【００１５】
本発明に係る給湯システムによれば、本発明に係る管路切り換えユニットを備えられるので、給湯弁から分岐された他方の管路を一時的に温水を満たした状態で、その管路内の温水を第２の弁を通じて流水することができ、しかも、排水した分の空気を第１の弁から引き込むので、第１の弁からの水ダレがなくなり、管路内の残水を防止できる。
【発明を実施するための最良の形態】
【００１６】
以下、図面を参照しながら、この発明の実施の形態に係る管路切り換えユニット及び給湯システムについて説明をする。
【００１７】
図１は、本発明に係る実施例としての浴室システム１の構成例を示す断面の概念図である。
【００１８】
＜浴室システムの全体＞
図１に示す浴室システム１は室内環境制御（調整）システムの一例を構成し、本発明に係る管路切り換えユニット及び給湯システムが応用される。この浴室システム１は、ミスト発生装置２、浴室空調装置（空調装置）３及びヒートポンプ式の給湯装置４を備えて構成されている。ミスト発生装置２は、浴室１０１の天井に配設され、霧状にした温水Ｉ（ミスト）又は水を浴室１０１内に噴出するようになされる。例えば、ミスト発生装置２は、給湯源や給水源等の一例を構成するヒートポンプ式の給湯装置４に接続され、これより排出される水又は温水Ｉを利用してミスト又は霧状水を発生する。
【００１９】
ミスト発生装置２は、電磁弁ユニット２Ａ、電源部ユニット２Ｂ及びノズルユニット２Ｃから構成されている。電磁弁ユニット２Ａは管路切り換えユニットの一例を構成し、ユニット内部には複数の電磁弁が設けられ、給湯装置４より排出される温水Ｉ又は給水管からの水の供給先を切換えるようになされる。電磁弁ユニット２Ａは浴室１０１の天井裏に置かれるが、浴室１０１の天井に有する点検口の近傍に配設される。
【００２０】
電磁弁ユニット２Ａには、給湯装置４から排出される水又は温水Ｉの供給を受けるための給水（給湯）配管２ａと、ノズルユニット２Ｃに温水Ｉを供給するためのノズル配管２ｂと、温水Ｉを排水するためのドレン配管２ｃとが接続されている。ドレン配管２ｃは浴室外へ配管される。もちろん、浴室１０１に配管してもよい。ここで、給水配管２ａは第１の管路を構成し、ノズル配管２ｂは第２の管路を構成し、ドレン配管２ｃは第３の管路を構成している。
【００２１】
電磁弁ユニット２Ａには、制御手段の一例を構成する電源部ユニット２Ｂが実装されている。電源部ユニット２Ｂにはミスト操作部７が接続される。電源部ユニット２Ｂは、電磁弁ユニット本体と共に浴室１０１の天井裏に配置され、当該ユニット内に設けられた複数の電磁弁をミスト操作部７からの操作指令に基づいて開閉制御を実行する。電磁弁ユニット２Ａにはノズルユニット２Ｃが接続され、浴室内に向けて配置されるノズルを備え、水又は温水Ｉによるミストを噴出するようになされる。ノズルユニット２Ｃは例えば、天井表面に取り付けられる。
【００２２】
浴室空調装置３も浴室１０１の天井に配設され、浴室１０１の暖房や換気等が行われる。浴室空調装置３の熱源として、当該浴室空調装置３に内蔵した電気ヒータ（ＰＴＣヒータ）が利用される。浴室空調装置３には図示しない換気ダクトが接続され、この換気ダクトには換気グリルが接続される。換気グリルは、排気口を有しており、浴室外部に排気口を向けて取り付けられる。
【００２３】
上述の電磁弁ユニット２Ａには、給湯装置４が接続され、冷媒ガスを圧縮して得られる熱源を利用して水を温めるようになされる。給湯装置４は、屋外に配置され、ミスト発生装置２及び浴室１０１等に温水Ｉを給湯し、又は水を供給するようになされる。給湯装置４からの温水Ｉは、洗面脱衣所１０２の図示しない洗面器の給湯栓にも給湯される。
【００２４】
なお、ミスト発生装置２及び浴室空調装置３には、主操作部６及びミスト操作部７が接続され、これらの操作に基づいてミスト発生及び浴室環境調整動作を実行する。主操作部６は、浴室空調装置３に内蔵された制御部（図１には図示せず）に通信ケーブル６ａで接続されたリモートコントロール（遠隔制御）装置である。この主操作部６（以下、「空調リモコン６」という）は、洗面脱衣所１０２の壁に取り付けられている。ミスト操作部７は、電源部ユニット２Ｂに内蔵された制御部（図示せず）に通信ケーブル７ａで接続されたリモートコントロール装置である。このミスト操作部７（以下、「ミストリモコン７」という）は、浴室１０１の壁に取り付けられている。
【００２５】
また、浴室１０１内、例えば、浴室空調装置３のフロントパネル２６には、人体検出センサ６９Ａが取り付けられ、浴室利用者が浴室内に入室すると、それを検知して入室検知信号を出力するようになされる。この人体検出センサ６９Ａは、例えば赤外線センサを用いて構成されたものである（特開平１０−１４２３５１号公報参照）。
【００２６】
このように、管路切り換えユニット及び室内環境調整（制御）システムを応用した浴室システム１が構成される。以下で、電磁弁ユニット２Ａの内部構成例及びその制御例について説明する。
【００２７】
＜電磁弁ユニット＞
図２Ａ及びＢは、第１及び第２の電磁弁ユニット２Ａ、２Ａ２の構成例を示す正面図である。図２Ａに示す電磁弁ユニット２Ａは筐体２Ａ′を有している。この例で、筐体２Ａ′の一側面を開放すると、電磁弁ユニット内の電磁弁の配置が見られる構成となされている。
【００２８】
筐体２Ａ′には、上述した給水配管２ａを接続するための接続部２ａ′と、同様にノズル配管２ｂを接続するための接続部２ｂ′と、ドレン配管２ｃを接続するための接続部２ｃ′とが取り付けられて固定されている。この例で、電磁弁ユニット２Ａを基準面の置いたとき、基準面からの高さＨ１には接続部２ｃ′が取り付けられ、基準面から高さＨ２には接続部２ａ及び接続部２ｂ′が取り付けられている。二者の高さの関係は、Ｈ２＞Ｈ１である。すなわち、３つの接続部２ａ′〜２ｃ′は、接続部２ｃ′よりも高い位置に接続部２ａ′＝接続部２ｂ′、が取り付けられる。
【００２９】
この例で、筐体２Ａ′の内側において、接続部２ａ′には給水弁又は給湯弁の一例となる給水又は給湯用の電磁弁２ｄが取り付けられ、給湯装置４からの水又は温水Ｉを供給するようになされる。この電磁弁２ｄに接続された配管２ｊには、第１の弁の一例となるミストノズル用の電磁弁２ｅが取り付けられ、水又は温水Ｉをノズルユニット２Ｃへ供給するようになされる。電磁弁２ｅの下流側（他端）は接続部２ｂ′に取り付けられる。
【００３０】
電磁弁２ｅよりも低い位置には、第２の弁の一例となる排水用の電磁弁２ｆが配設されると共に、配管２ｊから分岐された他方の配管２ｋに取り付けられ、温水Ｉを排温水Ｉするようになされる。電磁弁２ｆの下流側（他端）は接続部２ｃ′に取り付けられる。つまり、接続部２ａ′には電磁弁２ｄの一端が接続され、この電磁弁２ｄの他端には配管２ｊを介して電磁弁２ｅの一端が接続される。この電磁弁２ｅの他端は接続部２ｂ′に接続される。さらに、配管２ｊから分岐された配管２ｋは、電磁弁２ｆの一端に接続され、この電磁弁２ｆの他端には接続部２ｃ′が接続される。
【００３１】
これにより、高さＨ１の接続部２ｃ′に接続された電磁弁２ｆと、高さＨ２で接続部２ａ′に接続された電磁弁２ｄと、接続部２ｂ′に接続された電磁弁２ｅとの三者の高さの関係をＨ２＞Ｈ１とすることができる。すなわち、３つの電磁弁を電磁弁２ｆよりも高い位置に電磁弁２ｅ＝電磁弁２ｄとなるように配設することができる。
【００３２】
なお、電磁弁ユニット２Ａの内部には、電磁弁２ｄ，２ｅ，２ｆの他に、温度検出センサ２ｈが配されている。温度検出センサ２ｈは、例えば、配管２ｊに取り付けられており、電磁弁２ｄを通過した後の配管２ｊを流れる温水Ｉ（温水Ｉ）の温度を検出して温度検出信号Ｓ７を出力するようになされる。温度検出信号Ｓ７は、温度検出センサ２ｈから電源部ユニット２Ｂへ出力される。電源部ユニット２Ｂは図中では便宜上、外部に引き出して示しているが、この例では筐体２Ａ′の内部又は側面に実装され、当該電源部ユニット２Ｂを構成する電源トランス、漏電遮断器、制御基板等が電磁弁ユニット２Ａと一体にして形成（流通）される。
【００３３】
＜電源部ユニット＞
上述した電磁弁２ｄ、電磁弁２ｅ及び電磁弁２ｆには、電源部ユニット２Ｂが接続され、これらの電磁弁を個々に開閉制御するようになされる。例えば、電源部ユニット２Ｂは、電磁弁２ｆが閉じられ、かつ、給湯装置４からの温水Ｉが電磁弁２ｄ及び電磁弁２ｅを通じて流水されている状態において、ミストリモコン７から温水Ｉの供給停止が入力されたとき、例えば、ミスト停止信号Ｓ７が入力されたとき、電磁弁２ｆを開くと共に、電磁弁２ｅを閉じ、所定の時間経過後に、電磁弁２ｄを閉じ、その後、電磁弁２ｅを開き、所定時間経過後に、電磁弁２ｅを閉じると共に電磁弁２ｆを閉じる制御を実行する。ミスト停止信号Ｓ７は、給湯装置４からの温水供給を停止する入力である。
【００３４】
図２Ｂに示す第２の電磁弁ユニット２Ａ２は、筐体２Ａ′が第１の電磁弁ユニット２Ａの全高よりも低く構成（設計）されている。この例で、電磁弁ユニット２Ａ２を基準面の置いたとき、第１の電磁弁ユニット２Ａと同様にして、基準面からの高さＨ１には接続部２ｃ′が取り付けられ、基準面から高さＨ２’には接続部２ａ及び接続部２ｂ′が取り付けられている。二者の高さの関係は、Ｈ２’＞Ｈ１であって、第１の電磁弁ユニット２Ａとの関係において、Ｈ２’＜Ｈ２に設計されている。
【００３５】
このように筐体２Ａ′を構成すると、浴室天井の裏面スペースが十分とれない場合に、低姿勢型の電磁弁ユニット２Ａ２で十分対処できるようになる。例えば、高層住宅等において、当該ユニットバス（浴室）の天井裏面上と上階の床下面（スラブ）との間の距離が短く、高さ方向のスペースに余裕が無い場合に十分対処できるようになる。接続部２ａ′と電磁弁２ｄとの間には圧力センサ２ｑが接続され、温水Ｉの圧力を検出し、その圧力情報を給湯装置４に入力して温水Ｉの水圧を制御するようになされる。なお、第１の電磁弁ユニット２Ａと同じ符号のもの及び同じ名称のものは同じ機能を有するので、その説明を省略する。
【００３６】
図３及び図４は、電磁弁ユニット２Ａの動作例（その１、２）を示す線図である。例えば、ミスト運転時は、図３Ａに示す給湯用の電磁弁２ｄが開くことで、給水配管２ａ（図１参照）からの温水Ｉが接続部２ａ′から電磁弁２ｄ及び配管２ｊを通じてミスト用の電磁弁２ｅに供給される。電磁弁２ｅを開くことで、温水Ｉが配管２ｊ、電磁弁２ｅ及び接続部２ｂ′を通じてノズル配管２ｂ（図１参照）に供給される。温水Ｉはミスト用のノズルユニット２Ｃから噴出される。このとき、排水用の電磁弁２ｆは閉じたままである。
【００３７】
また、ミスト運転停止時の排水制御では、まず、図３Ｂに示す電磁弁２ｆを開けると共に、電磁弁２ｅを閉じる。これにより、温水Ｉは配管２ｋ、電磁弁２ｆ及び接続部２ｃ′を通じてドレン配管２ｃに排水される。この状態は、ドレン配管２ｃ内が一時的に温水Ｉで満たされ、大気圧に依存されない脱気された状態である。
【００３８】
次に、図４Ａに示すように、電磁弁２ｆを開けたまま、所定時間後に、電磁弁２ｄを閉じる。この例では、２秒後に給湯用の電磁弁２ｄが閉じる。この結果で、接続管２ｂ′からの残水（水）IIが、配管２ｊ及び２ｋを通じて電磁弁２ｆに至りドレン配管２ｃに排水される。このとき、電磁弁２ｅは開いたままなので、接続管２ｂ′を通じて空気IIIを電磁弁２ｅ、配管２ｊ及び２ｋの内部に取り込む（引き込む）ようになる。これにより、接続管２ｂ′、電磁弁２ｅ、配管２ｊ及び２ｋ内の残水IIを電磁弁２ｆを通じて浴室外部へ排出することができる。
【００３９】
この例では、ミスト用の電磁弁２ｅが所定時間後、例えば、３秒後に閉じられると共に、排水用の電磁弁２ｆを閉じるように制御される。これにより、図４Ｂに示すように電磁弁ユニット内の全ての電磁弁２ｄ、２ｅ及び２ｆが閉じた状態となされる。次のミスト運転を待機するようになされる。
【００４０】
図５は、電源部ユニット２Ｂにおける制御例を示すフローチャートである。この例では、浴室（ミスト）ユニット１の排水制御（排水バルブタイミング）を最適化して配管内に残水を生じないバルブ制御を実行する。電源部ユニット２Ｂの図示しない読出し専用メモリには、ミスト運転停止後の排水制御に係るプログラム（以下制御プログラムという）が記述され、そのプログラムの中で停止命令が有ったときから、電磁弁２ｄが閉動作に至るまでの所定時間ｔ１が２秒に、電磁弁２ｅの再開きから再閉じに至るまでの所定時間ｔ２が３秒に設定されている場合を例に挙げる。
【００４１】
これを制御条件にして、図５に示すフローチャートのステップＳＴ１で電源部ユニット２Ｂは、停止命令を待機する。停止命令は、例えば、ミストリモコン７から電源部ユニット２Ｂへ、温水Ｉの供給停止を要求するミスト停止信号Ｓ７を出力することで通知される。
【００４２】
電源部ユニット２Ｂは、ミスト停止信号Ｓ７を入力すると、制御プログラムに基づいてステップＳＴ２で給湯用の電磁弁２ｄはＯＮしたまま、排水用の電磁弁２ｆをＯＮする。例えば、図示しない電磁弁駆動部を通じて電磁弁２ｆに所定の駆動電圧Ｖ２ｆを印加してバルブを開状態となされる。
【００４３】
次に、電源部ユニット２Ｂは、制御プログラムに基づいてステップＳＴ３でミスト用の電磁弁２ｅ＝ＯＦＦする。例えば、図示しない電磁弁駆動部を通じて電磁弁２ｅに印加されていた所定の駆動電圧Ｖ２ｅを０［Ｖ］としてバルブを閉状態となされる。
【００４４】
次に、電源部ユニット２Ｂは、ステップＳＴ４でｔ１時間を経過したかを判別する。この例では、ｔ１＝２秒を経過しない場合は、そのまま待機する。ｔ１＝２秒を経過した場合は、ステップＳＴ５に移行して給湯用の電磁弁２ｄをＯＦＦする。同様にして、電磁弁２ｄに印加されていた所定の駆動電圧Ｖ２ｄを０［Ｖ］としてバルブを閉状態となされる。
【００４５】
そして、ステップＳＴ６でミスト用の電磁弁２ｅをＯＦＦする。同様にして、電磁弁２ｅに印加されていた所定の駆動電圧Ｖ２ｅを０［Ｖ］としてバルブを閉状態となされる。その後、電源部ユニット２Ｂは、ステップＳＴ７でｔ２時間を経過したかを判別する。この例では、ｔ２＝３秒を経過しない場合は、そのまま待機する。ｔ２＝３秒を経過した場合は、ステップＳＴ８に移行する。
【００４６】
ステップＳＴ８で、電源部ユニット２Ｂは、ミスト用の電磁弁２ｅ＝ＯＦＦする。例えば、電磁弁駆動部を通じて電磁弁２ｄに印加されていた所定の駆動電圧Ｖ２ｄを０［Ｖ］にしてバルブを閉状態となされる。次に、電源部ユニット２Ｂは、ステップＳＴ９で排水用の電磁弁２ｆ＝ＯＦＦする。同様にして、電磁弁２ｆに印加されていた所定の駆動電圧Ｖ２ｆを０［Ｖ］にしてバルブを閉状態となされる。これにより、図４Ｂに示したように電磁弁ユニット内の全ての電磁弁２ｄ、２ｅ及び２ｆが閉じた状態となされる。
【００４７】
このように、本発明に係る電磁弁ユニット２Ａを備えた浴室システム１によれば、電源部ユニット２Ｂは、電磁弁２ｆが閉じられ、かつ、給湯装置４からの温水Ｉが電磁弁２ｅを通じて噴出されている状態において、給湯装置４からの温水Ｉの供給を停止する命令があったとき、電磁弁２ｄの配管２ｊから分岐された他方の管路２ｋを一時的に温水Ｉを満たした状態で、その管路２ｋ内の温水Ｉを電磁弁２ｆを通じてドレン配管２ｃへ流水することができ、しかも、排水した分の空気を電磁弁２ｅから引き込むので、電磁弁２ｅからの水ダレがなくなり、管路の残水を防止できるようになる。
【００４８】
＜ノズルユニット＞
図６及び図７は、ノズルユニット２Ｃの構成例を示す図である。図６は、ノズルユニット２Ｃの構成例（分解時）を示す斜視図、図７Ａ〜Ｃはその構成例を示す上面図、一部破砕の正面図及び側面図である。なお、図７Ａ〜Ｃにおいて、ネジ２Ｅ１〜２Ｅ４を取り外した状態を示している。
【００４９】
図６に示すノズルユニット２Ｃは、本体ユニット２Ｃｄ、フロントパネル２Ｄａ、給水管部２Ｃａ、ノズル２ｍ１，２ｍ２，２ｍ３及び配管用の接続部２ｎから構成され、温水Ｉや水を噴出（噴霧）するようになされる。給水管部２Ｃａは本体ユニット２Ｃｄ内に装着（実装）され、ノズル２ｍ１，２ｍ２，２ｍ３は、フロントパネル２Ｄａの所定位置に設けられた開口部２Ｄａ１，２Ｄａ２，２Ｄａ３からその頭部を露出するようになされ、配管用の接続部２ｎは本体ユニット２Ｃｄの一方の端部から引き出すようになされる。
【００５０】
本体ユニット２Ｃｄは、つば付及び長型底付の箱状を成し、例えば、ＡＢＳ樹脂を射出金型装置で成形した成型品が使用される。本体ユニット２Ｃｄは、浴室１０１の天井面に固定される。この例では、天井面に本体ユニット２Ｃｄの箱部位の外周形状よりも一回り大きく、かつ、つば部位よりも小さな開口部が開口され、天井表側から天井裏側に向けて本体ユニット２Ｃｄが嵌め込まれ、その周囲を天井部材又は専用の裏打ち部材にビス止めして固定される（図８Ｂ参照）。
【００５１】
図７Ａに示すフロントパネル２Ｄａは前面用の平坦部材の一例を構成し、当該フロントパネル２Ｄａの所定方向への摺動に伴ってノズル２ｍ１，２ｍ２，２ｍ３の先端位置が変化する噴出方向可変機構を有している。フロントパネル２Ｄａは、図６に示したように、本体ユニット２Ｃｄの開放面（ノズル端部露出）側に覆い被さるように、かつ、可動自在に取り付けられる。
【００５２】
フロントパネル２Ｄａの両端の所定部位（四隅）には、スライドガイド溝２Ｄｂ１〜２Ｄｂ４が設けられる。この例では、スライドガイド溝２Ｄｂ１〜２Ｄｂ４を基準にして（に沿って）当該フロントパネル２Ｄａが所定方向へスライド（摺動）するように取り扱われる。各々のスライドガイド溝２Ｄｂ１〜２Ｄｂ４は、長細い楕円状の穴部に、それよりも一回り小さな長細い楕円状の孔部を有して構成されている。スライドガイド溝（摺動案内溝）２Ｄｂ１〜２Ｄｂ４において、ネジ２Ｅ１〜２Ｅ４で本体ユニット２Ｃｄとビス止めして使用される。ネジ２Ｅ１〜２Ｅ４は係合部材の一例を構成する（図６参照）。フロントパネル２Ｄａには、例えば、プラスティック等の樹脂を射出金型装置で成形した成型品が使用される。
【００５３】
フロントパネル２Ｄａには、複数の開口部２Ｄａ１，２Ｄａ２，２Ｄａ３が設けられる。この例では、開口部２Ｄａ１にノズル２ｍ１の先端が、開口部２Ｄａ２にノズル２ｍ２の先端が、開口部２Ｄａ３にノズル２ｍ３の先端が各々係合付けられ、スライド時に、これらのノズル２ｍ１，２ｍ２，２ｍ３の先端に当接力（回転力）を与えるようになされる。
【００５４】
開口部２Ｄａ１，２Ｄａ２，２Ｄａ３は、外部に向かって広がる凹状の一例となる、すり鉢状（ホーン状又はコーン状）を成し、その内壁にスロープ（Ｒ形状）が設けられる。また、ノズル２ｍ１，２ｍ２，２ｍ３の先端が凹状の開口部２Ｄａ１，２Ｄａ２，２Ｄａ３の面位置又はそれ以下に配置するように設定されている。換言するとノズル２ｍ１，２ｍ２，２ｍ３が面位置から出っ張っていない（同等以下の）フラットなデザイン（構造）を有している。これは、ノズル２ｍ１，２ｍ２，２ｍ３の回動時における温水Ｉ又は水の噴霧方向に支障をきたさない（障壁とならない）ようにするためである。
【００５５】
図７Ｂに示す本体ユニット２Ｃｄの長手方向の両側には軸受け部２Ｃｂ１，２Ｃｂ２が設けられる。軸受け部２Ｃｂ１，２Ｃｂ２は、回動型の給水管部２Ｃａを回動自在に軸支（係合）している。給水管部２Ｃａは長手方向に沿って回動軸を成すために、本体ユニット２Ｃｄの両側の軸受け部２Ｃｂ１，２Ｃｂ２に至る長さを有している。給水管部２Ｃａには銅パイプ又は黄銅パイプが使用される。
【００５６】
給水管部２Ｃａの所定の位置、この例では、中央に１カ所、両側に１カ所ずつの計３カ所から、接続部材２Ｃｅ１，２Ｃｅ２，２Ｃｅ３を介してノズル２ｍ１，２ｍ２，２ｍ３が直列に引き出される。接続部材２Ｃｅ１，２Ｃｅ２，２Ｃｅ３には、銅角材（直方体）又は黄銅角材（直方体）が使用される。もちろん、金属に限られることはなく、硬質樹脂を使用してもよい。
【００５７】
この例で、給水管部２Ｃａと各々の接続部材２Ｃｅ１，２Ｃｅ２，２Ｃｅ３とは、当該接続部材２Ｃｅ１，２Ｃｅ２，２Ｃｅ３の所定の位置、例えば、下方を貫く形態で接合されている。ノズル２ｍ１は接続部材２Ｃｅ１に接続され、ノズル２ｍ２は接続部材２Ｃｅ２に接続され、ノズル２ｍ３は接続部材２Ｃｅ３に各々接続される。いずれのノズル２ｍ１，２ｍ２，２ｍ３や給水管部２Ｃａも半田又は銀で接続部材２Ｃｅ１，２Ｃｅ２，２Ｃｅ３にろう付け接合（接続）されている。
【００５８】
この例で、図７Ｂに示すノズル２ｍ１は、左手側にθ１だけ傾斜角を設定して取り付けられ、ノズル２ｍ２は、反対に右手側にθ２だけ傾斜角を設定して取り付けられる。ノズル２ｍ３は、給水管部２Ｃａに対して直交する方向に設けられる。このように傾斜角θ１，θ２を設定したのは、ノズルユニット２Ｃ全体として、温水Ｉや水による噴霧（発散）範囲を拡張するためである。
【００５９】
図７Ｃに示す軸受け部２Ｃｂ２は、ノズル配管２ｂ（図１参照）を接続するための接続部２ｎを備えている。この接続部２ｎにノズル配管２ｂから供給される温水Ｉは、図示しない軸受け部２Ｃｂ２内の配管及び図７Ｂに示した給水管部２Ｃａ内の配管を通じて各ノズル２ｍ１，２ｍ２，２ｍ３に供給され、ミストとして噴出される。
【００６０】
図８Ａ及びＢは、ノズルユニット２Ｃの駆動機構例を示す構成図である。図８Ａに示す給水管部２Ｃａは、回動軸を基準にして左右にスイング可能な構造となされている。例えば、給水管部２Ｃａには、図８Ａに示す歯車ユニット８６が取り付けられ、この歯車ユニット７２を回動駆動するためのモータ７３等が備えられる。このような直接式の駆動機構７１は駆動手段の一例を構成し、給水管部２Ｃａを回動させて、ノズル２ｍ１，２ｍ２，２ｍ３を所定方向に向くように制御する。このタイプは本体ユニット２Ｃｄの内部に全ての機構部品を実装できるメリットがある。
【００６１】
これに対して、図８Ｂに示す本体ユニット２Ｃｄの側面には駆動機構８１（駆動手段）の主要部が設けられ、図７Ａに示したフロントパネル２Ｄａをスライドガイド溝２Ｄｂ１，２Ｄｂ２，２Ｄｂ３，２Ｄｂ４に沿って摺動するようになされる。例えば、給水管部２Ｃａと直交する方向であって、フロントパネル２Ｄａの裏面にラックレール８２を取り付けられる。このラックレール８２に歯車８３を噛み合わせる。歯車８３の動力となるモータ８４を本体ユニット２Ｃｄの内側又は外側に設ける。このモータ８４を駆動してフロントパネル２Ｄａを給水管部２Ｃａと直交する方向に駆動（スライド）するようになされる。
【００６２】
このフロントパネル２Ｄａのスライドによって、図７Ａに示す開口部２Ｄａ１に係合付けられたノズル２ｍ１の先端や、開口部２Ｄａ２に係合付けられたノズル２ｍ２の先端、開口部２Ｄａ３に係合付けられたノズル２ｍ３の先端等がフロントパネル２Ｄａのスライドによって当接力（回動力）が与えられ、これらの開口部２Ｄａ１，２Ｄａ２，２Ｄａ３にノズル２ｍ１，２ｍ２，２ｍ３が引っかかる構造で、そのノズル先端向きを変えるようになされる。このようにすると、前者の直接式の駆動機構７１に比べて、間接式の駆動機構８１によれば、給水管部２Ｃａの中心からノズル先端部に至る腕が長くなる分だけ低トルクで、ノズル２ｍ１，２ｍ２，２ｍ３を所定方向に向くように制御できるようになり、両者共に自動ノズル先端向き調整機構を提供できるようになる。
【００６３】
もちろん、このような給水管部２Ｃａを回動駆動するための駆動機構７１や８１等を設けずに、手動式で任意に噴出方向を切り換えられる構造としてもよい。例えば、噴霧角度設定時時に、まず、図６に示したネジ２Ｅ１〜２Ｅ４を緩める。次に、フロントパネル２Ｄａを所望の方向に押すと、当該パネル２Ｄａがスライドガイド溝２Ｄｂ１〜２Ｄｂ４に沿って摺動され、開口部２Ｄａ１，２Ｄａ２，２Ｄａ３にノズル２ｍ１，２ｍ２，２ｍ３が引っかかる構造で、ノズル先端向きを変え、これらのノズル２ｍ１，２ｍ２，２ｍ３の先端位置が決まったところで、当該フロントパネル２Ｄａを本体ユニット２Ｃｄにネジ２Ｅ１〜２Ｅ４で固定するようになされる。
【００６４】
このようにすると、ノズルユニット２Ｃの噴霧角度をその位置でキープするようになる。この操作は、浴室１０１の施工後においても、ユーザが２Ｅ１〜２Ｅ４を緩めてフロントパネル２Ｄａをスライドさせることで、ノズル先端向きを好みに応じた角度に調整できるようになる（半固定方式）。
【００６５】
図９〜図１１は、浴室システム１におけるノズルユニット２Ｃの動作例（その１〜３）を示す構成図である。図９Ａ及びＢは、ノズルユニット２ＣのホームポジションＨＰにおけるノズル２ｍ１，２ｍ２，３ｍ３の姿勢例を示す仰視図及び正面の断面図である。
【００６６】
この実施例では、浴室１０１内の温度を調整する浴室空調装置３と、この浴室空調装置３によって温度が調整される浴室１０１内に、温水Ｉ又は水を噴出する噴霧方向可変機構付のノズルユニット２Ｃとを別々に天井面に備えられている。ノズルユニット２Ｃは浴室１０１内の洗い場側の天井面に設置され、浴室空調装置３はその浴槽１０１ｂ側の天井面に各々配置される。
【００６７】
図９Ａに示す浴室空調装置３はフロントパネル２６を有し、ノズルユニット２Ｃは、フロントパネル２Ｄａを有している。浴室１０１の天井面を見上げたとき、浴室空調装置３のフロントパネル２６と、ノズルユニット２Ｃのフロントパネル２Ｄａとが所定の間隔を保持して配置される。
【００６８】
この例では、図９Ｂに示すノズルユニット２Ｃの本体ユニット２Ｃｄに対するフロントパネル２Ｄａの位置をノズルユニット２ＣのホームポジションＨＰとしている。このホームポジションＨＰのノズル２ｍ１，２ｍ２，３ｍ３の姿勢例によれば、中央に配置されたノズル２ｍ３が真下を向く位置となされる。その両側に配置されたノズル２ｍ１，２ｍ２は、真下から両側に傾いた位置となされる。
【００６９】
この位置は、各々のスライドガイド溝２Ｄｂ１〜２Ｄｂ４において、例えば、ネジ２Ｅ１がスライドガイド溝２Ｄｂ１の中央部に位置している状態である。同様にして、ネジ２Ｅ２がスライドガイド溝２Ｄｂ２の中央部に位置し、ネジ２Ｅ３がスライドガイド溝２Ｄｂ３の中央部に位置し、ネジ２Ｅ４がスライドガイド溝２Ｄｂ４の中央部に位置している状態である。
【００７０】
この例では、図９Ｂに示すノズルユニット２Ｃのフロントパネル２Ｄａが浴室空調装置３のフロントパネル２６よりも厚さが薄く設定されている。ここで、ノズルユニット２Ｃのフロントパネル２Ｄａの厚さをａ１とし、浴室空調装置３のフロントパネル２６の厚みをａ２とすると、ａ１＜ａ２に設定される。図９に示すフィルタ２９は、フロントパネル２６のフィルタ着脱用の挿入口２８に交換可能に取り付けられる。図中、フィルタ２９の装着時を実線で示し、その引出時を二点鎖線で示している（図１３参照）。
【００７１】
このようにフロントパネル２Ｄａの厚さａ１をフロントパネル２６の厚みａ２よりも薄くすると、浴室空調装置３のフィルタ交換時、フィルタ２９の先端がフロントパネル２Ｄａと干渉せずに引き抜けるようになり、その交換作業性が向上すること、及び、浴室空調装置３における温風循環時のショートサーキット効果を防止できるようにしたためである。ここに、ショートサーキット効果とは、浴室空調装置３の吸気口とフロントパネル２Ｄａの開口部とを結ぶ短絡経路が形成されることによる温水Ｉ又は水の回り込みをいう。
【００７２】
図１０Ａ及びＢは、フロントパネル２Ｄａの右スライド位置におけるノズル２ｍ１，２ｍ２，３ｍ３の姿勢例を示す仰視図及び正面の断面図である。
【００７３】
図１０Ａに示すノズル２ｍ１，２ｍ２，３ｍ３の姿勢例は、ホームポジションＨＰから右側へフロントパネル２Ｄａをスライドした後にとられる姿勢である。図１０Ｂにおいて、ノズルユニット２Ｃの本体ユニット２Ｃｄに対するフロントパネル２Ｄａの位置をその右スライド位置としている。
【００７４】
この右スライド位置の姿勢例によれば、中央に配置されたノズル２ｍ３、上下に配置されたノズル２ｍ１，２ｍ２がいずれも右側に角度φ１だけ傾く位置となされる。この位置は、各々のスライドガイド溝２Ｄｂ１〜２Ｄｂ４において、ネジ２Ｅ１がスライドガイド溝２Ｄｂ１の左端側に位置している状態である。同様にして、ネジ２Ｅ２がスライドガイド溝２Ｄｂ２の左端側に位置し、ネジ２Ｅ３がスライドガイド溝２Ｄｂ３の左端側に位置し、ネジ２Ｅ４がスライドガイド溝２Ｄｂ４の左端側に位置している状態である。
【００７５】
この例では、図示しない洗い場側に噴霧範囲を拡張できるようになる。また、図１０Ｂに示す浴室空調装置３のフィルタ交換時、右スライド位置にフロントパネル２Ｄａを移動することで、ホームポジションＨＰに固定している場合よりも、さらに、フィルタ２９の先端が図９（Ｂ）に示すようにフロントパネル２Ｄａと干渉せずに引き抜けるようになり、その交換作業性がさらに向上する。これはノズルユニット２Ｃのフロントパネル２Ｄａと、浴室空調装置３のフロントパネル２６との間がホームポジションＨＰに固定している場合よりも、広く空くことによる。
【００７６】
図１１Ａ及びＢは、フロントパネル２Ｄａの左スライド位置におけるノズル２ｍ１，２ｍ２，３ｍ３の姿勢例を示す仰視図及び正面の断面図である。  
図１１Ａに示すノズル２ｍ１，２ｍ２，３ｍ３の姿勢例は、ホームポジションＨＰから左側へフロントパネル２Ｄａをスライドした後にとられる姿勢である。図１１Ｂにおいて、ノズルユニット２Ｃの本体ユニット２Ｃｄに対するフロントパネル２Ｄａの位置をその左スライド位置としている。
【００７７】
この左スライド位置の姿勢例によれば、中央に配置されたノズル２ｍ３、上下に配置されたノズル２ｍ１，２ｍ２がいずれも左側に角度φ２だけ傾く位置となされる。この位置は、各々のスライドガイド溝２Ｄｂ１〜２Ｄｂ４において、ネジ２Ｅ１がスライドガイド溝２Ｄｂ１の右端側に位置している状態である。同様にして、ネジ２Ｅ２がスライドガイド溝２Ｄｂ２の右端側に位置し、ネジ２Ｅ３がスライドガイド溝２Ｄｂ３の右端側に位置し、ネジ２Ｅ４がスライドガイド溝２Ｄｂ４の右端側に位置している状態である。
【００７８】
この例では、図１１Ｂに示す浴室空調装置側、すなわち、図示しない浴槽１０１ｂの上方に噴霧範囲を拡張できるようになる。従って、ユーザは浴槽１０１ｂに入りながら、温水Ｉ又は水によるミストサウナを体験できるようになる。
【００７９】
このように、本発明に係る浴室システム１によれば、本発明のノズルユニット２Ｃが備えられるので、フロントパネル２Ｄａの所定方向へのスライド動作に連動してノズル２ｍ１，２ｍ２，２ｍ３の噴出角度を一斉に調整できるようになる。
【００８０】
従って、天井設置のミストサウナシステムに関して、ミストを体に浴びたいか、浴びたくないかというユーザの好みに応じて、ノズル２ｍ１，２ｍ２，２ｍ３の噴出角度を任意に選択できるようになる。しかも、フロントパネル２Ｄａの手動式又は駆動機構を備えるので、ミストの噴霧方向を設置時又は使用時に変えられる構造とすることができる。
【００８１】
これにより、ミストサウナ運転中に、温水Ｉ又は水の噴出方向をリアルタイムに可変し、回動停止時に比べて広範囲をミストサウナ状態とすることが可能な構造を提供できるようになった。この構造は従来方式に比較して広めな浴室１０１のミストサウナシステムに適用して好適となる。ノズルユニット２ｃは浴室の壁に取り付けられるだけでなく、後述の浴室空調装置と一体構造であっても良い。
【００８２】
＜浴室空調装置＞
図１２及び図１３は、浴室空調装置３の構成例を示す図である。図１２は、浴室空調装置３の内部構成例を示す断面図である。
【００８３】
図１２に示す浴室空調装置３は、ファン部３２と、熱源としてのヒータ部３３とを備えている。ファン部３２は、本体ケース３４に取り付けられている。ファン部３２は、回転駆動される多翼のファン３５と、このファン３５を回転駆動するファンモータ３６と、このファンモータ３６が取り付けられると共に、風路を形成するファンケース３７とを備えている。
【００８４】
ファン３５は縦向きに配置されている。ファンケース３７のファン３５の軸方向に沿った下面が開口し、吸込口３８とされている。吸込口３８には温度検出手段の一例を構成する温度検出センサ６９が取り付けられ、浴室１０１の温度を検出するようになされる。温度検出センサ６９にはサーミスタが使用される。また、ファンケース３７のファン３５の軸方向とは直交する方向に沿った一の側面が開口し、この開口部に風路切換部３９が備えられている。
【００８５】
風路切換部３９は風路を切換えるダンパ４０を備える。ダンパ４０は後述するダンパモータ４０ｃの駆動力がカム４０ａを介して伝達され、軸４０ｂを支点に回転して開閉動作を行う。ファンケース３７は、風路切換部３９と連通して下面に吹出口４１を備えると共に、風路切換部３９と連通して一の側面に排気口４２を備えている。この場合、ダンパ４０の位置によって、吸込口３８から吹出口４１へ連通した風路、あるいは吸込口３８から排気口４２へ連通した風路が形成される。
【００８６】
上述の吹出口４１の所定の位置にはヒータ部３３が取り付けられ、排出する空気を加熱するようになされる。ヒータ部３３には、加熱手段を構成する電気ヒータが使用される。吹出口４１から浴室内へ温風を排気することで、ミストの温度低下を防止し、浴室内を暖房するようになされる。
【００８７】
ファンケース３７は、ヒータ部３３の上流側であって、吸込口３８の所定の位置にはイオン発生器４４を備えている。イオン発生器４４は、ダンパ４０を循環位置あるいは循環換気位置に設定することで形成される循環風路４３ａにイオン放出面を露出するようになされる。イオン発生器４４は、正イオンと負イオンの両方あるいは負イオンを発生する。正イオンと負イオンの発生の原理は、誘電体が介在するように対向させた一対の電極間に家庭用交流電源等から得られた交流電圧を昇圧して印加することにより、コロナ放電を起こし、空気中の酸素乃至は水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。
【００８８】
これらＨ+（Ｈ2Ｏ）m及びＯ2-（Ｈ2Ｏ）nは、浮遊菌の表面に付着し、化学反応して活性種であるＨ2Ｏ2又は・ＯＨを生成する。Ｈ2Ｏ2又は・ＯＨは、極めて強力な活性を示すため、これらにより、空気中の浮遊細菌を取り囲んで除去することができる。ここで、・ＯＨは活性種の１種であり、ラジカルのＯＨを示している。
【００８９】
これにより、ファン部３２の運転と連動させて略同数の正イオンと負イオンを発生させ、略同数の正イオンと負イオンを含む空気を送風することで、循環する空気に含まれる浮遊細菌と、図１に示す浴室１０１の空気中の浮遊細菌の双方を不活化して、カビの発生等を抑えることによる除菌ができる。
【００９０】
図１３は浴室空調装置３の分解例を示す斜視図である。図１３に示す浴室空調装置３は、本体ケース３４からフロントパネル２６が取外し（分解）可能な構造となされている。
【００９１】
この例で、温度検出センサ６９は、本体ケース３４の吸込口３８に対応した部分に取り付けられ、浴室１０１の温度を検出するようになされる。図１３において、本体ケース３４は、下面が開口し、吸込口３８と吹出口４１が露出するようにされている。この本体ケース３４の下面開口部に、フロントパネル２６が取り付けられる。フロントパネル２６は、本体ケース３４に着脱可能なように構成されている。
【００９２】
このフロントパネル２６は、ファン部３２の吸込口３８と対向して吸込グリル４５を備えると共に、ファン部３２の吹出口４１と対向して吹出グリル４６を備える。また、フロントパネル２６の吸込グリル４５の裏側に、図９に示したフィルタ２９が交換可能に取り付けられる。例えば、フロントパネル２６の側面には、フィルタ着脱用の挿入口２８が開口され、この挿入口２８に二点鎖線に示すフィルタ２９が取り付けられる。本体ケース３４は、ファン部３２の排気口４２と連通する排気ダクト接続部４８を一の側面に備える。この排気ダクト接続部４８に、図１に示したような排気ダクト８が接続される。
【００９３】
図１４Ａ〜Ｃは、浴室空調装置３の動作例を示す図である。図１４Ａは、ダンパ４０を全閉にした状態例を示す断面図である。この例では、浴室空調装置３のダンパ４０を全閉にすると、排気口４２への風路が遮断され、吸込口３８から吹出口４１へ連通した循環風路４３ａが形成される。このため、ダンパ４０が全閉となる位置をダンパ４０の循環位置と称する。
【００９４】
また、図１４Ａに示すように、ダンパ４０の位置を循環位置にし、ファンモータ３６によりファン３５を回転駆動すると、空気が吸込口３８から吸い込まれ、循環風路４３ａを通り吹出口４１から吹き出す。ファンモータ３６は、制御部５Ａから供給される駆動電圧Ｖ３６により駆動される。このとき、ヒータ部３３に通電すると、ヒータ部３３が加熱することで吹出口４１を通る空気が温められ、温風が吹出口４１から吹き出す。ここで、ヒータ部３３としては例えばＰＴＣ(Positive Temperature Coefficient)ヒータを使用できる。
【００９５】
図１４Ｂは、ダンパ４０を全開にした状態例を示す断面図である。図１４Ｂに示す浴室空調装置３によれば、そのダンパ４０を全開にすると、吹出口４１への風路が遮断され、吸込口３８から排気口４２へ連通した換気風路４３ｂが形成される。このため、ダンパ４０が全開となる位置をダンパ４０の換気位置と称する。
【００９６】
図１４Ｃは、ダンパ４０を循環位置と換気位置の中間位置にした状態例を示す断面図である。図１４Ｃに示す浴室空調装置３によれば、そのダンパ４０を循環位置と換気位置の中間位置にすると、吸気口３８から吹出口４１へ連通した循環風路４３ａと、吸気口３８から排気口４２へ連通した換気風路４３ｂの双方が形成される。この中間位置を循環換気位置と称する。
【００９７】
続いて、浴室空調装置３の動作例について説明をする。この浴室空調装置３では、例えば、ファンモータ３６が回転駆動されると、ファン部３２のファン３５が回転する。ファン３５が回転すると、フロントパネル２６の吸込グリル４５を介して、ファン部３２の吸込口３８から浴室１０１の空気が吸い込まれる。
【００９８】
ダンパ４０の位置が図１４Ａに示す循環位置にあると、ファン部３２において吸込口３８から吹出口４１への循環風路４３ａが形成されるので、吸込口３８から吸い込まれた空気は、循環風路４３ａを通り吹出口４１からフロントパネル２６の吹出グリル４６を介して浴室１０１内に吹き出される。
【００９９】
ヒータ部３３は循環風路４３ａの吹出口４１に配置されるので、ヒータ部３３が駆動されることで、循環風路４３ａを通る空気は、このヒータ部３３で温められて吹出グリル４６から吹き出す。これにより、ダンパ４０を循環位置として、ファンモータ３６が回転駆動されると、ヒータ部３３を駆動した場合は、浴室１０１内の空気を循環させながら、浴室１０１内に温風を吹き出させることができる。
【０１００】
ダンパ４０の位置が図１４Ｂに示す換気位置にあると、ファン部３２において吸込口３８から排気口４２への換気風路４３ｂが形成されるので、吸込口３８から吸い込まれた空気は、換気風路４３ｂ及び排気口４２を通り、さらに、図１に示した排気ダクト８を通って排気グリル８ａから屋外へ排気される。これにより、ダンパ４０を換気位置として、ファンモータ３６が回転駆動されると、浴室１０１内の湯気や湿気が排気される。
【０１０１】
ダンパ４０の位置が図１４Ｃに示す循環換気位置にあると、ファン部３２において吸込口３８から吹出口４１への循環風路４３ａ及び吸込口３８から排気口４２への換気風路４３ｂの双方が形成されるので、吸込口３８から吸い込まれた空気は、一部は循環風路４３ａを通り吹出口４１からフロントパネル２６の吹出グリル４６を介して浴室１０１内に吹き出され、その他は換気風路４３ｂ及び排気口４２を通り、さらに、図１に示した排気ダクト８を通って排気グリル８ａから屋外へ排気される。
【０１０２】
これにより、ダンパ４０を循環換気位置として、ファンモータ３６が回転駆動されると、ヒータ部３３が非駆動の場合は、浴室１０１内の空気を循環させながら、浴室１０１内の湯気や湿気が排気される。また、ヒータ部３３を駆動した場合は、浴室１０１内の空気を循環させてこの浴室１０１内に温風を吹き出しながら、浴室１０１内の湯気や湿気が排気される。浴室空調装置３は電気式のみでなく、温水式であってもよい。
【０１０３】
＜ヒートポンプ式の浴室システム１＞
図１５は、ヒートポンプ式の給湯装置４の構成例を示すブロック図である。図１５に示す給湯装置４は、図１に示したミスト発生装置２、浴室１０１、洗面脱衣所１０２、台所１０３等に温水Ｉを供給するものである。
【０１０４】
給湯装置４は、ヒートポンプユニット５３及び貯湯タンクユニット５４を有して構成される。ヒートポンプユニット５３は、大気と冷媒ガスとの間の熱交換及び冷媒ガスと水との間の熱交換で温水Ｉを生成する。貯湯タンクユニット５４には、ヒートポンプユニット５３で生成された温水Ｉを貯水するようになされる。例えば、貯湯タンクユニット５４は、３００乃至５００リットルの蓄湯容量を有している。
【０１０５】
ヒートポンプユニット５３は、空気熱交換器５５及び水熱交換器５６を有して構成される。空気熱交換器５５は、大気と冷媒ガスとの間で熱交換を行って、冷媒ガスの温度を上昇させるものである。水熱交換器５６は、冷媒ガスと水との間で熱交換を行って、水の温度を上昇させるものである。
【０１０６】
ヒートポンプユニット５３には、ファン５５ａ及び冷媒配管５７が設けられる。ファン５５ａは、空気熱交換器５５に大気を供給するように使用される。冷媒配管５７は、空気熱交換器５５と水熱交換器５６との間に接続され、空気熱交換器５５と水熱交換器５６との間で冷媒ガスを循環するように使用される。
【０１０７】
また、ヒートポンプユニット５３には、ファン５５ａ及び冷媒配管５７の他に圧縮機５８が備えられる。圧縮機５８は、空気熱交換器５５と水熱交換器５６の間であって、空気熱交換器５５の下流側に配置され、空気熱交換器５５で熱交換されて冷媒配管５７を流れる冷媒ガスを圧縮して温度をさらに上昇させるように使用される。
【０１０８】
また、ヒートポンプユニット５３には、空気熱交換器５５と水熱交換器５６の間であって、水熱交換器５６の下流側には膨張弁５９が備えられる。膨張弁５９は、水熱交換器５６で熱交換されて冷媒配管５７を流れる冷媒ガスを膨張させて温度を低下させるように使用される。
【０１０９】
ヒートポンプユニット５３には貯湯タンクユニット５４が接続され、当該ヒートポンプユニット５３で生成された温水Ｉを貯水するタンク６０を備える。タンク６０は、下部側に水が供給されると共に、上部側に温水Ｉが供給されて、下部側に比べて上部側の温度が高くなる段層化した状態で温水Ｉを貯水する。
【０１１０】
ヒートポンプユニット５３と貯湯タンクユニット５４とは、水熱交換器５６とタンク６０の間が温水配管６１ａ及び冷水配管６１ｂで接続されている。例えば、温水配管６１ａは、水熱交換器５６の流出側と、タンク６０の上部側に設けられる流入口６０ａとの間を接続する。また、冷水配管６１ｂは、水熱交換器５６の流入側と、タンク６０の下部側に設けられる流出口６０ｂの間を接続する。
【０１１１】
この冷水配管６１ｂにはポンプ６１ｃが取り付けられている。ポンプ６１ｃは、冷水配管６１ｂを介してタンク６０の流出口６０ｂから水を吸い込んで水熱交換器５６に供給し、水熱交換器５６を通過して生成された温水Ｉを、温水配管６１ａを介して流入口６０ａからタンク６０に供給する。
【０１１２】
また、タンク６０には取水配管６２と給水配管６３とがそれぞれ接続されている。取水配管６２は、タンク６０に貯水された温水Ｉを取水するために使用される。取水配管６２は、高温部取水配管６２ａと中温部取水配管６２ｂを備えている。高温部取水配管６２ａは、流入口６０ａと独立してタンク６０の上部に設けられる高温部取水口６０ｃと接続される。中温部取水配管６２ｂは、高温部取水口６０ｃより下側に設けられる中温部取水口６０ｄに接続される。
【０１１３】
取水配管６２は、高温部取水配管６２ａと中温部取水配管６２ｂの合流箇所に切換弁６２ｃを備え、タンク６０における取水元が、高温部取水口６０ｃか中温部取水口６０ｄに切換えられる。
【０１１４】
給水配管６３は、タンク６０に給水を行うために使用される。給水配管６３は、例えば、流出口６０ｂと独立してタンク６０の下部に設けられる給水口６０ｅと接続されると共に、タンク６０の手前で分岐した分岐給水配管６３ａを備える。
【０１１５】
さらに、貯湯タンクユニット５４は、取水配管６２から供給される温水Ｉと、分岐給水配管６３ａから供給される水を混合させる給湯混合弁６４を備える。給湯混合弁６４は、取水配管６２と分岐給水配管６３ａの合流箇所に備えられ、取水配管６２から供給される温水Ｉと、分岐給水配管６３ａから供給される水の混合比を切換えて、給湯配管６５から供給される温水Ｉの温度を調整する。常温の水を排出することもできる。
【０１１６】
給湯配管６５は、図１に示した浴室１０１のシャワー１０１ａや浴槽１０１ｂ、洗面脱衣所１０２の蛇口１０２ａ及び図示しない台所１０３の蛇口等と接続され、温水Ｉ又は水を供給する。また、浴室１０１に接続される給湯配管６５には、ミスト給湯配管６５ａが接続される。ここに分岐されたミスト給湯配管６５ａには、ミスト発生装置２が接続される。
【０１１７】
次に、ヒートポンプ式の給湯装置４の動作例について説明する。給湯装置４では、まず、貯湯タンクユニット５４のタンク６０に、給水配管６３から水が供給される。タンク６０に供給された水は、冷水配管６１ｂによりヒートポンプユニット５３の水熱交換器５６に供給される。
【０１１８】
ヒートポンプユニット５３では、ファン５５ａにより空気熱交換器５５に大気が供給され、冷媒配管５７を流れる冷媒ガスとの間で熱交換が行われ、冷媒ガスの温度が上昇する。空気熱交換器５５で熱交換が行われた冷媒ガスは、圧縮機５８で圧縮されることで、温度がさらに上昇する。
【０１１９】
そして、圧縮機５８で圧縮されて温度を上昇させた冷媒ガスは、水熱交換器５６に供給される。これにより、水熱交換器５６においては、大気との熱交換及び圧縮により温度が上昇した冷媒ガスと、貯湯タンクユニット５４から供給された水との間で熱交換が行われ、温水Ｉが生成される。この水熱交換器５６で熱交換された冷媒ガスは、膨張弁５９で膨張されて温度が低下し、再度空気熱交換器５５に供給される。
【０１２０】
また、水熱交換器５６で熱交換されて生成された温水Ｉは、温水配管６１ａによりタンク６０に戻される。これにより、タンク６０は、上部側が温度が高く、下部側が温度の低い二層化した状態で温水Ｉと水が貯水される。タンク６０に貯水された温水Ｉは、取水配管６２により取水される。ここで、切換弁６２ｃにより、供給水の温度が高い場合は高温部取水配管６２ａから温水Ｉが取られ、供給水の温度が低い場合は中温部取水配管６２ｂから温水Ｉを取られる。
【０１２１】
取水配管６２により取水された温水Ｉは、分岐給水配管６３ｂから供給される水と給湯混合弁６４で混合される。給湯混合弁６４で温水Ｉと水の混合比を切換えることで、給湯配管６５から供給される温水Ｉの温度が調整される。もちろん、常温の水を給湯配管６５に送出することもできる。給湯配管６５から供給される温水Ｉ又は水は、浴室１０１、洗面脱衣所１０２及び台所１０３に分配される。これにより、給湯配管６５から分岐されたミスト給湯配管６５ａにより温水Ｉ又は水をミスト発生装置２に供給するようになされる。給湯装置４は自然冷媒を利用したヒートポンプ式でなくても、ヒートポンプ式でない通常の電気温水器であってもよく、ガスを熱源にした給湯装置でも他の熱源のものであってもよい。
【０１２２】
＜空調リモコン、ミストリモコン＞
図１６は、ミストリモコン（ミスト操作部）７の操作面の構成例を示す正面図である。
図１６に示すミストリモコン７は、入浴ミストモードの運転及び運転停止を選択する入浴ミストボタン７ｂを備えている。このボタン７ｂに対応して、その上部には、当該モードの選択時に発光制御されるＬＥＤ(Light Emitting Diode)等の発光素子７ｂ′が設けられている。また、ミストリモコン７には、入浴ミストモードの運転を停止する運転停止ボタン７ｄが備えられている。運転停止ボタン７ｄの上部には、運転停止中を示す発光素子７ｄ′が設けられている。
【０１２３】
図１７は、空調リモコン（主操作部）６の操作面の構成例を示す正面図である。図１７に示す空調リモコン６は、入浴ミストモードの運転及び運転停止を選択する入浴ミストボタン６ｂを有している。入浴ミストボタン６ｂは、上記したミストリモコン７の入浴ミストボタン７ｂに対応したボタンである。このボタン６ｂに対応して、当該モードの選択時に発光制御されるＬＥＤ等の発光素子６ｂ′が設けられている。
【０１２４】
また、空調リモコン６は、衣類乾燥モードの運転及び運転停止を選択する衣類乾燥ボタン６ｄと、涼風モードの運転及び運転停止を選択する涼風ボタン６ｅと、暖房モードの運転及び運転停止を選択する暖房ボタン６ｆと、標準換気モードの運転、浴室乾燥モードの運転及びそれらの運転停止を選択する換気ボタン６ｇとを備えている。これらのボタン６ｄ〜６ｇに対応して、例えば運転時に発光制御されるＬＥＤ等の発光素子６ｄ′，６ｅ′，６ｆ′，６g1′，６g2′が設けられている。
【０１２５】
また、空調リモコン６は、時刻、浴室温度、運転モード等を表示する、ＬＣＤ（液晶表示素子）やセグメントＬＥＤ等で構成される表示素子６ｉと、タイマーの時間設定等を行うためのアップダウンキー６ｊとを備えている。主操作部６で操作され指示される情報は、操作信号Ｓ６となって電源部ユニット２Ｂに出力される。
【０１２６】
＜浴室空調装置及びミスト発生装置の制御系＞
図１８は、浴室空調装置３及びミスト発生装置２の制御系の構成例を示すブロック図である。  
図１８に示す浴室空調装置３は、図１に示したミスト発生装置２によって水又は温水Ｉが噴出される浴室１０１内の温度を調整する。浴室空調装置３は、浴室１０１内の温度を検出して得られる温度検出情報に基づいて当該浴室１０１内の温度を制御するためのＣＰＵ(Central Processing Unit)を有する制御部５Ａを備えている。上述した空調リモコン６は、通信ケーブル６ａを介して、この浴室空調装置３の制御部５Ａに接続されている。この例で、空調リモコン６から制御部５Ａには、通信ケーブル６ａを介して、操作信号Ｓ６が出力される。
【０１２７】
制御部５Ａには温度検出手段の一例となる温度検出センサ６９が接続される。温度検出センサ６９は、図１２又は図１３に示した吸込口３８に取り付けられ、浴室１０１内の温度を検出して得た温度検出信号Ｓ６９を制御部５Ａへ出力される。制御部５Ａは、温度検知センサ６９から温度検出信号Ｓ６９を入力し、当該温度検出信号Ｓ６９をデジタル処理した温度検出情報と温度設定情報とを比較した結果に基づいて温度制御を実行する。
【０１２８】
例えば、制御部５Ａは、浴室１０１内の上限温度Ｔ１と下限温度Ｔ２とが設定されると、ヒータ３３に駆動電圧Ｖ３３を出力して浴室１０１内の空気を加熱すると共に当該浴室１０１内の温度を温度検出センサ６９を通じて検出する。制御部５Ａは、浴室１０１内の温度が上限温度Ｔ１に到達すると加熱処理を停止し、その後、浴室１０１内の温度を検出すると共に当該浴室１０１内の温度が下限温度Ｔ２に到達すると加熱処理を開始する。
【０１２９】
この例で制御部５Ａは、加熱処理を停止した時刻から当該加熱処理を開始する時刻に至る経過時間が計測され、以後、上限温度Ｔ１と経過時間に基づいて浴室１０１内の空気の加熱処理を実行する。このようにすると、下限温度Ｔ２と浴室１０１内の温度との比較処理を省略できるようになり、制御部５Ａの負荷が軽減できるようになる。
【０１３０】
また、制御部５Ａは、所定時間経過後に、前回の加熱処理を停止した時刻から当該加熱処理を開始する時刻に至る経過時間を計測して前回の経過時間を補正するようになされる。このようにすると、上限温度Ｔ１と経過時間とに基づく浴室１０１内の空気の加熱処理を高精度に実行できるようになる。
【０１３１】
制御部５Ａは、浴室１０１内の上限温度Ｔ１に関して、ミスト発生装置２の動作温度を「強・中・弱」の三段階に設定して浴室１０１内の温度制御するようになされる。このようにすると、浴室内の温度を「強・中・弱」の三段階に維持できるようになる。
【０１３２】
もちろん、これらの温度制御方法に限定されることはなく、制御部５Ａに対して浴室１０１内の上限温度Ｔ３と下限温度Ｔ４とを設定し、この上限温度Ｔ３と下限温度Ｔ４に基づいて温度制御をするようにしてもよい。この場合、制御部５Ａは、ヒータ３３に駆動電圧Ｖ３３を出力して浴室１０１内の空気を加熱すると共に当該浴室１０１内の温度を温度検出センサ６９を通じて検出する。制御部５Ａは、浴室１０１内の温度が上限温度Ｔ３に到達すると加熱処理を停止し、所定時間経過後に、浴室１０１内の温度を検出し、当該浴室１０１内の温度と下限温度Ｔ４とを比較し当該比較結果に基づいて加熱処理を実行する。
【０１３３】
例えば、制御部５Ａは、浴室１０１内の温度が下限温度Ｔ４以下となった場合は加熱処理を開始し、浴室１０１内の温度が下限温度Ｔ４を越えている場合は加熱処理を控え、以降、所定時間経過後に、浴室１０１内の温度を検出し、当該浴室１０１内の温度と下限温度Ｔ４とを比較し当該比較結果に基づいて加熱処理を実行する。
【０１３４】
なお、制御部５Ａには、上述したように、浴室空調装置３のフロントパネル２６に取り付けられた人体検出センサ６９Ａが接続される。人体検出センサ６９Ａから制御部５Ａには、人体検出信号Ｓ６９ａが出力される。
【０１３５】
また、この制御部５Ａには、浴室照明スイッチ６９Ｂから、このスイッチがオンされたか否かを示す信号Ｓ６９ｂが供給される。この制御部５Ａから、ファンモータ３６、ダンパモータ４０ｃ、ヒータ部３３を動作させるための駆動電圧Ｖ３６、Ｖ４０ｃ、Ｖ３３、及び、イオン発生器４４の動作を制御するための制御信号Ｓ４４が各々供給される。
【０１３６】
図１８に示す電源部ユニット２Ｂは、電源部２Ｂａと、電磁弁駆動部２Ｂｂと、ＣＰＵを有する制御部２Ｂｃとを備えている。電源部２Ｂａは、家庭用交流電源、例えばＡＣ１００Ｖから、電磁弁を駆動するために使用する２４Ｖの直流電圧、ノズルユニット２のモータ７３や８４等を駆動するための直流電圧等を生成する。
【０１３７】
電源部２Ｂａには電磁弁駆動部２Ｂｂ及び制御部２Ｂｃが接続され、制御部２Ｂｃによる制御の下、電源部２Ｂａで生成される２４Ｖの直流電圧を用いて、電磁弁ユニット２Ａを構成する電磁弁２ｄ，２ｅ，２ｆを駆動する。この場合、電磁弁２ｄ，２ｅ，２ｆは、それぞれ、ＤＣ２４［Ｖ］の駆動電圧Ｖ２ｄ，Ｖ２ｅ，Ｖ２ｆが印加されることでバルブが開状態となされる。駆動電圧Ｖ２ｄ＝０［Ｖ］で電磁弁２ｄのバルブが閉状態となされ、駆動電圧Ｖ２ｅ＝０［Ｖ］で電磁弁２ｅのバルブが閉状態となされ、駆動電圧Ｖ２ｆ＝０［Ｖ］で電磁弁２ｆの各々のバルブが閉状態となされる。
【０１３８】
制御部２Ｂｃには、上述したように、電磁弁ユニット２Ａに取り付けられた温度検出センサ２ｈが接続される。この例で、温度検出センサ２ｈから制御部２Ｂｃには温度検出信号Ｓ２ｈが出力される。上述したミストリモコン７は、通信ケーブル７ａを介して、この電源部ユニット２Ｂの制御部２Ｂｃに接続されている。ミストリモコン７から制御部２Ｂｃには通信ケーブル７ａを介して操作信号Ｓ７ａが出力される。この制御部２Ｂｃは、電磁弁駆動部２Ｂｂの動作を制御し、また電源部２Ｂａで生成される直流電圧を用いて、ノズルユニット２のノズル２ｍ１，２ｍ２，２ｍ３の方向を制御する。
【０１３９】
また、浴室空調装置３の制御部５Ａと電源部ユニット２Ｂの制御部２Ｂｃとは互いに接続され、浴室空調装置３とミスト発生装置２との連係動作が可能となされている。例えば、制御部５Ａから制御部２Ｂｃへ通信制御信号Ｓ５ａを出力して、空調リモコン６で指定された内容に基づいてミスト運転を実行する。反対に、制御部２Ｂｃから制御部５Ａへ通信制御信号Ｓ５ａを出力して、ミストリモコン７で指定された内容に基づいて空調運転を実行するようにしてもよい。
【０１４０】
図１９は、浴室１０１の第１の温度制御に基づく温度検出例を示すタイムチャートである。  
図１９に示す温度検出例において、縦軸は浴室１０１の設定温度Ｔｘ［℃］である。横軸は、ヒータ部３３をオンした後の経過時間ｔｘ［ｈｒ］である。図中の曲線は浴室内の温度の変化例を示す温度検出曲線Ｉである。温度検出曲線Ｉは、温度検出センサ６９から出力された温度検出信号Ｓ６９をデジタル処理して得られたものである。
【０１４１】
この例では浴室１０１におけるミストサウナ運転時の上限温度Ｔ１が設定され、その下限温度Ｔ２が設定される（Ｔ２＜Ｔ１）。上限温度Ｔ１は、ヒータ部３３をオフする温度（以下ヒータオフ温度という）として設定され、下限温度Ｔ２は、ヒータ部３３をオンする温度（以下ヒータオン温度という）として各々設定される。
【０１４２】
この例で、入浴中に暖房運転（ミスト噴霧時）を実行する場合に、常に、温度検出センサ６９により浴室１０１内の温度が監視され、ヒータオフ温度Ｔ１に到達したら、ヒータ部３３への駆動電圧Ｖ３３をオフするようになされる。その後も、浴室１０１内の温度が監視し続けられ、浴室内温度がヒータオン温度Ｔ２に至るまでの時間ｔ’が計測される。ヒータオン温度Ｔ２に至った時点で、ヒータ部３３への駆動電圧Ｖ３３をオンするようになされる。このヒータ部３３のオンオフ制御を第１のルーチンとする。２回目以降のヒータ部３３のオンオフ制御は、ヒータオフ温度Ｔ１と、その後の経過時間ｔを用いてヒータ制御を実行する。
【０１４３】
この例では、所定時間経過毎に、第１のルーチン動作を実行し、時間ｔを補正するようになされる。上限温度Ｔ１に関しては、「強・中・弱」の三段階の設定温度が設けられ、ミストサウナ運転環境を３段階の浴室内温度に連動して制御できるようになっている。上限温度と吹出風量を変えることによりミストサウナ運転環境を強・中・弱の三段階にするようにしても良い。また、上限温度Ｔ１は強・弱の２段階でも、４段階でもその他の段階であってもよい。
【０１４４】
図２０は、浴室１０１の第２の温度制御に基づく温度検出例を示すタイムチャートである。  
図２０に示す温度検出例において、縦軸は浴室１０１の設定温度Ｔｘ［℃］である。横軸は、ヒータ部３３をオンした後の経過時間ｔｘ［ｈｒ］である。図中の曲線は浴室内の温度の変化例を示す温度検出曲線IIである。温度検出曲線IIは、温度検出センサ６９から出力された温度検出信号Ｓ６９をデジタル処理して得られたものである。
【０１４５】
この例では浴室１０１におけるミストサウナ運転時の上限温度Ｔ３が設定され、その下限温度Ｔ４が設定される（Ｔ４＜Ｔ３）。上限温度Ｔ３は、第１の温度制御例と同様に、ヒータオフ温度として設定され、下限温度Ｔ４は、ヒータオン温度として各々設定される。この例で、入浴中に暖房運転（ミスト噴霧時）を実行する場合に、常に、温度検出センサ６９により浴室１０１内の温度が監視され、ヒータオフ温度Ｔ３に到達したら、ヒータ部３３への駆動電圧Ｖ３３をオフするようになされる。これまでは第１の温度制御例と同じである。
【０１４６】
第２の温度制御例によれば、その後の浴室１０１内の温度は、断続的に、温度が監視しされる。そのための温度監視時間が設定される。例えば、浴室１０１内の温度がヒータオフ温度Ｔ３に到達した時点から、所定時間（例えば３０秒）後に、再び、浴室１０１内の温度を検出する。この時点で浴室１０１内の温度がヒータオン温度Ｔ４を上回っていたら何もしない。反対に、この時点で浴室１０１内の温度がヒータオン温度Ｔ４を下回っていたら、ヒータ部３３への駆動電圧Ｖ３３をオンするようになされる。
【０１４７】
以下、浴室１０１内の温度がヒータオフ温度Ｔ３に到達した時点から、所定時間（例えば３０秒）を経過する毎に、再び、浴室１０１内の温度を検出する処理を繰り返し、浴室１０１内の温度とヒータオン温度Ｔ４とを比較して、この比較結果に基づいてヒータ部３３のオンオフ制御を実行する。これにより、ヒータ部３３の制御用のリレーの駆動回数を減らすことができるので、第１の温度制御例に比べてリレー消費電力を低減できるようになる。
【０１４８】
続いて、浴室システム１の動作例について説明する。図２１及び図２２は、ミストサウナ運転（入浴ミストモード）時の動作例（その１及び２）を示すフローチャートである。
【０１４９】
この実施例では、ミスト発生装置２と浴室空調装置３とが連動され、浴室システム１内にミストサウナシステムが構築される。この例では、入浴前に暖房運転を実行したり、ミスト運転開始時、浴室内温度に応じて、浴室空調装置３を暖房「強」運転から、「中」運転に切り換える等の制御を実行して、快適なミストサウナ環境を得るようになされる。
【０１５０】
この例では、ミストリモコン７で、入浴ミストボタン７ｂが押されて入浴ミストオンとされたとき、あるいは空調リモコン６で、入浴ミストボタン６ｂが押されて入浴ミストオンとされたとき、入浴ミストモードとなり、このモードの動作が開始される。なお、入浴ミストオフとなったか、あるいは停止が指示されたときは、ミスト発生装置２に関しては、ドレン配管２ｃに温水Ｉを通してから水抜き処理を行われる。また、所定温度Ｔ５が例えば３０℃である場合を例に挙げる。
【０１５１】
これらを動作条件にして、入浴ミストオンとされることで、動作が開始される。図２１に示すフローチャートのステップＳＴ２２で浴室空調装置３の温度検出センサ６９が浴室温度を検出し、制御部５Ａは浴室内温度Ｔｘが浴室内温度Ｔｘが所定値３０℃を越えているかを検出する。浴室内温度Ｔｘが所定温度Ｔ５＝３０℃を越えている場合には、ステップＳＴ２３に移行して浴室空調装置３の暖房運転を「中」に設定する。このとき、浴室空調装置３のヒータ部３３へのヒータオフ温度Ｔ１，Ｔ３の値を下げて暖房運転が「強」の場合よりも、低い温度で「中」となる温度に設定される。
【０１５２】
また、浴室空調装置３のファンモータ３６への制御電圧Ｖ３６が降下され、ファン３５が回転を低速にする。この場合、ダンパ４０は全閉、つまり循環位置（図１４Ａ参照）とされる。この位置で、ファン部３２において吸込口３８から吹出口４１への循環風路４３ａが形成されるので、吸込口３８から吸い込まれた空気は、循環風路４３ａを通り、ヒータ部３３で暖められて、吹出口４１からフロントパネル２６の吹出グリル４６を介して浴室１０１内に吹き出される。その後、ステップＳＴ２５に移行する。
【０１５３】
なお、浴室内温度Ｔｘが所定温度Ｔ５が例えば３０℃を下回っている場合は、ステップＳＴ２４に移行して浴室空調装置３の暖房運転を「強」に設定する。このとき、浴室空調装置３のヒータ部３３へのヒータオフ温度すなわち、上限温度Ｔ１，Ｔ３の値を上げて暖房運転が「中」の場合よりも、高い温度で「強」となる温度に設定される。
【０１５４】
また、浴室空調装置３のファンモータ３６への制御電圧Ｖ３６が上昇され、ファン３５が回転を高速にする。この場合、ダンパ４０は全閉、つまり循環位置（図１４Ａ参照）とされる。この位置で、ファン部３２において吸込口３８から吹出口４１への循環風路４３ａが形成されるので、吸込口３８から吸い込まれた空気は、循環風路４３ａを通り、ヒータ部３３で暖められて、吹出口４１からフロントパネル２６の吹出グリル４６を介して浴室１０１内に吹き出される。その後、ステップＳＴ２５に移行する。
【０１５５】
次に、ステップＳＴ２５で、ノズルユニット２Ｃが制御され、ノズル２ｍ１，２ｍ２，２ｍ３が浴槽１０１ｂ側に向くように回動される。このとき、図８Ａ又はＢに示した駆動機構７１又は８１が動作してノズル２ｍ１，２ｍ２，２ｍ３の向きを可変する。これにより、人の頭にミストがかからないようになされる。
【０１５６】
次に、ステップＳＴ２６で、排水処理が行われる。この場合、電磁弁ユニット２Ａにおいて、給湯用の電磁弁２ｄ及び排水用の電磁弁２ｆが開かれる（図２参照）。給湯装置４から給水配管２ａで供給される温水Ｉは、電磁弁２ｄ及び電磁弁２ｆを介して、ドレン配管２ｃに供給される（図１、図２参照）。
【０１５７】
次に、ステップＳＴ２７で、電磁弁ユニット２Ａ内に配設された温度検出センサ２ｈの検出出力に基づいて、給水配管２ａを介して電磁弁ユニット２Ａに供給される温水Ｉの温度が所定値以上、例えば３５゜以上となったか否か判定される。温度が所定値以上となった後に、ステップＳＴ２８に進む。
【０１５８】
このステップＳＴ２８では、ミスト発生処理が行われる。このように、電磁弁ユニット２Ａに供給される温水Ｉの温度が所定値以上となった後にミスト発生処理が行われるようにすることで、浴室１０１中に存在する人が、ミストによって肌寒さを感じさせないようにできる。
【０１５９】
この場合、電磁弁ユニット２Ａにおいて、電磁弁２ｆは閉じられ、ノズルユニット用の電磁弁２ｅが開かれる。このとき、給湯装置４から給水配管２ａで供給される温水Ｉは、電磁弁２ｄ及び電磁弁２ｅを介して、ノズル配管２ｂに供給される（図１〜図３Ａ参照）。
【０１６０】
次に、ステップＳＴ２９で、入浴ミストボタン７ｂ又は６ｂが押下されて入浴ミストオフとなったか、あるいは運転停止ボタン７ｄが押されて停止が指示されたか否かが判定される。入浴ミストオフとなったか、あるいは停止が指示されたときは、ステップＳＴ３０に進む。このステップＳＴ３０では、浴室空調装置３の動作が停止される。すなわち、浴室空調装置３のヒータ部３３及びファンモータ３６への通電が止められる。
【０１６１】
そして、ステップＳＴ３１で、排水用の電磁弁２ｆが開かれ、排水制御を実行して水抜き処理がなされる。このとき、電磁弁ユニット２Ａにおいて、給湯用の電磁弁２ｄは開かれたまま、ミスト用の電磁弁２ｅが閉じられる（図３Ｂ参照）。なお、排水用の電磁弁２ｆを先に開けて、その後、ミスト用の電磁弁２ｅを閉じるのは、急激な水圧変化で管類が音を発生するノッキング現象を防止するためである。これにより、ドレン配管２ｃに温水Ｉが満たされる。そして、ステップＳＴ３２で、ドレン配管２ｃへの温水Ｉの流水処理に必要な所定時間、例えばｔ＝２秒が経過したか否かが判定される。所定時間が経過したときは、ステップＳＴ３３に進む。
【０１６２】
ステップＳＴ３３では、給湯用の電磁弁２ｄが閉じられ、ミスト用の電磁弁２ｅが開かれる（図４Ａ参照）。これにより、ノズル配管２ｂに残っている温水Ｉは、電磁弁２ｅ及び２ｆを介して、ドレン配管２ｃに排水される。このとき、電磁弁２ｅは開いたままなので、接続管２ｂ′を通じて空気IIIを電磁弁２ｅ、配管２ｊ及び２ｋの内部に取り込むようになる。これにより、接続管２ｂ′、電磁弁２ｅ、配管２ｊ及び２ｋ内の残水（温水）IIを電磁弁２ｆを通じて浴室外部へ排出することができる。（図１、図４Ａ参照）。
【０１６３】
そして、ステップＳＴ３４で、水抜き処理に必要な所定時間、例えばｔ＝３秒が経過したか否かが判定される。所定時間が経過したときは、ステップＳＴ３５に進む。このステップＳＴ３５では、停止処理が行われる。この場合、電磁弁ユニット２Ａにおいて、電磁弁２ｅ及び電磁弁２ｆが閉じられる（図４Ｂ参照）。このとき、ノズルユニット２Ｃも制御され、ノズル２ｍ１，２ｍ２，２ｍ３の向きがホームポジションＨＰに戻される。この停止処理によって、入浴ミストモードの一連の動作が終了する。
【０１６４】
なお、ステップＳＴ２５を設けなくてもよい。また、ノズル２ｍ１，２ｍ２，２ｍ３を洗い場１０１ｅに向けることでミストが人の体にかかるようにしても良く、さらには、空調リモコン６や、ミストリモコン７に図示しない操作ボタンを設け、ノズル２ｍ１，２ｍ２，２ｍ３の方向を選択できるようにしてもよい。ステップＳＴ２５のノズルユニット２Ｃの回転制御を行わなくても良い。
【０１６５】
このように、本発明に係る実施例としての浴室システム１によれば、電源部ユニット２Ｂ及び制御部５Ａが備えられ、温度検出センサ６９で浴室１０１内の温度が検出され、所定の温度より高い場合と低い場合で暖房運転を区分する制御がなされる。
【０１６６】
上述した例では、ミスト運転開始時の浴室空調装置３の温度検出センサ６９の温度によって、浴室内の温度が高い場合には、浴室空調装置３の暖房運転が「中」となるように浴室内へ送風される温風量を「中」として、ヒータオフ温度（上限温度）Ｔ１，Ｔ３を「中」温度（強より低い値）とする。
【０１６７】
また、浴室内の温度が低い場合には、暖房運転が「強」となるように浴室内へ送風される温風量を「大」とし、ヒータオフ温度（上限温度）Ｔ１，Ｔ３を「強」温度（高い値）にする。これにより、ミスト運転開始時の浴室１０１の温度（状態）に応じて、浴室空調装置３のヒータオフ温度（上限温度）Ｔ１，Ｔ３や温風量等を変えることにより、ノズルユニット２Ｃから噴霧される温水Ｉの温度を直接的に制御することをしなくても、その時の浴室内の温度状態に適した快適なミスト環境を提供できるようになる。
【０１６８】
また、上述の浴室空調装置３の制御と併せて、ノズルユニット２Ｃから噴出される温水Ｉの温度を制御するようにしてもよく、その場合には、より細かな浴室内の温度制御が行える。なお、暖房運転状態の「強・中・弱」については、前述のヒータオフ温度（上限温度）Ｔ１，Ｔ３に変えて、暖房状態「強・中・弱」に合わせてヒータ部３３の発熱量が「強・中・弱」となるように駆動電圧Ｖ３３を制御して暖房状態を可変するようにしてもよい。従って、ミスト運転時の入浴前、入浴中の浴室内温度を浴室空調装置３で暖房制御を実行することで、快適なミスト運転環境を提供できるようになった。
【産業上の利用可能性】
【０１６９】
本発明は、給湯装置より供給される水又は温水を噴出する浴室ユニット（ユニットバス）に適用して極めて好適である。
【図面の簡単な説明】
【０１７０】
【図１】本発明に係る実施例としての浴室システム１の構成例を示す断面の概念図である。
【図２】Ａ及びＢは、電磁弁ユニット２Ａ、２Ａ２の構成例を示す正面図である。
【図３】電磁弁ユニット２Ａの動作例（その１）を示す線図である。
【図４】電磁弁ユニット２Ａの動作例（その２）を示す線図である。
【図５】電源部ユニット２Ｂにおける制御例を示すフローチャートである。
【図６】ノズルユニット２Ｃの構成例（分解時）を示す斜視図である。
【図７】（Ａ）〜（Ｃ）はノズルユニット２Ｃの構成例を示す上面図、一部破砕の正面図及び側面図である。
【図８】（Ａ）及び（Ｂ）は、ノズルユニット２Ｃの駆動機構例を示す構成図である。
【図９】（Ａ）及び（Ｂ）は、ノズルユニット２Ｃの動作例（その１）を示す仰視図及び正面の断面図である。
【図１０】（Ａ）及び（Ｂ）は、ノズルユニット２Ｃの動作例（その２）を示す仰視図及び正面の断面図である。
【図１１】（Ａ）及び（Ｂ）は、ノズルユニット２Ｃの動作例（その３）を示す仰視図及び正面の断面図である。
【図１２】浴室空調装置３の内部構成例を示す断面図である。
【図１３】浴室空調装置３の分解例を示す斜視図である。
【図１４】（Ａ）〜（Ｃ）は、浴室空調装置３の動作例を示す図である。
【図１５】ヒートポンプ式の給湯装置４の構成例を示すブロック図である。
【図１６】ミストリモコン（ミスト操作部）７の操作面の構成例を示す正面図である。
【図１７】空調リモコン（主操作部）６の構成例を示す正面図である。
【図１８】浴室空調装置３及びミスト発生装置２の制御系の構成例を示すブロック図である。
【図１９】浴室１０１の第１の温度制御に基づく温度検出例を示すタイムチャートである。
【図２０】浴室１０１の第２の温度制御に基づく温度検出例を示すタイムチャートである。
【図２１】ミストサウナ運転（入浴ミストモード）時の動作例（その１）を示すフローチャートである。
【図２２】ミストサウナ運転（入浴ミストモード）時の動作例（その２）を示すフローチャートである。
【符号の説明】
【０１７１】
１・・・浴室システム（室内環境調整システム，室内環境制御システム）、２・・・ミスト発生装置、２Ａ・・・電磁弁ユニット（管路切り換えユニット）、２Ａ′・・・筐体、２Ｂ・・・電源部ユニット（制御手段）、２Ｃ・・・ノズルユニット、２ａ・・・給水配管、２ｂ・・・ノズル配管、２ｃ・・・ドレン配管、２ａ′〜２ｃ′・・・接続部、２ｄ・・・電磁弁（給水弁，給湯弁）、２ｅ，２ｆ・・・電磁弁（第１の弁，第２の弁）、２ｈ・・・温度検出センサ、２ｊ〜２ｋ・・・配管、３・・・浴室空調装置、４・・・給湯装置、６・・・主操作部（空調リモコン）、６ａ，７ａ，８０ａ・・・通信ケーブル、７・・・ミスト操作部（ミストリモコン）、７ａ・・・通信ケーブル、８・・・排気ダクト、２６，２６′・・・フロントパネル、３６，７３，８４・・・モ−タ、６９・・・温度検出センサ（温度検出手段）、６９Ａ・・・人体検出センサ、６９Ｂ・・・浴室照明スイッチ、７１，８１・・・駆動機構、７２・・・歯車ユニット、８２・・・ラックレール、８３・・・歯車、１０１・・・浴室、１０１ｂ・・・浴槽
【図１】
0004725357.tif 000002
【図２】
0004725357.tif 000003
【図３】
0004725357.tif 000004
【図４】
0004725357.tif 000005
【図５】
0004725357.tif 000006
【図６】
0004725357.tif 000007
【図７】
0004725357.tif 000008
【図８】
0004725357.tif 000009
【図９】
0004725357.tif 000010
【図１０】
0004725357.tif 000011
【図１１】
0004725357.tif 000012
【図１２】
0004725357.tif 000013
【図１３】
0004725357.tif 000014
【図１４】
0004725357.tif 000015
【図１５】
0004725357.tif 000016
【図１６】
0004725357.tif 000017
【図１７】
0004725357.tif 000018
【図１８】
0004725357.tif 000019
【図１９】
0004725357.tif 000020
【図２０】
0004725357.tif 000021
【図２１】
0004725357.tif 000022
【図２２】
0004725357.tif 000023